(57)【要約】      （修正有）【課題】電極損傷の危険を最小限にし、さらに、電極の寿命を長くする高圧放電ランプを提供する。【解決手段】放電容器の両端部には毛管が配置されている。毛管には導入線が密封されており、この導入線はそれぞれタングステンからなる電極１５と接合されている。この電極はピン型で、直径の異なる２つの部分２５，２６から一体的に構成されている。所定の直径Ｄ１を備えた第１部分２５は電極先端部を形成し、直径Ｄ２を備えた第２部分２６は毛管内に配置されている。第２部分の直径Ｄ２は、第１部分の直径Ｄ１の少なくとも１０８％である。電極１５の全長Ｌは、部分長さＬ１を備える第１部分と、部分長さＬ２を備える第２部分とに区分けされており、Ｌ２は全長Ｌの約３０％から７０％である。最大直径Ｄ２の開始部は、毛管の開始部と一致するか、または毛管の開始部から最大で長さＬの１０％だけずれている。【選択図】図２
0003153262.tif 000002
【実用新案登録請求の範囲】
【請求項１】
セラミック放電容器を備える高圧放電ランプであって、
前記放電容器内に２つの電極と、発光充填物が封入されており、
前記放電容器の両端部に毛管が配置されており、
該毛管内に導入線が密閉されており、
該導入線はそれぞれ、タングステン、レニウム、または混合物、または前記２つの元素の合金からなる電極に接続されている、高圧放電ランプにおいて、
前記電極はピン型で、かつ直径の異なる２つの部分から一体的に構成されており、
所定の直径Ｄ１を備える第１部分は電極先端部を形成し、
直径Ｄ２を備える第２部分は前記毛管内に配置されており、
前記第２部分の直径Ｄ２は、少なくとも第１部分の直径の１０８％であり、
前記電極の全長Ｌは、部分長さＬ１を備える前記第１部分と、部分長さＬ２を備える前記第２部分とに区分けされており、Ｌ２は全長Ｌの約３０％から７０％であり、
最大直径Ｄ２の開始部は、前記毛管の開始部と一致するか、または前記毛管の開始部から最大で、長さＬの１０％だけずれている、
ことを特徴とする高圧放電ランプ。
【請求項２】
請求項１記載の高圧放電ランプにおいて、第２部分の直径Ｄ２は、少なくとも前記毛管の内径ＩＤの９５％である、ことを特徴とする高圧放電ランプ。
【請求項３】
請求項１記載の高圧放電ランプにおいて、前記第２部分は、前記導入線と溶接によって接合している、ことを特徴とする高圧放電ランプ。
【請求項４】
請求項１記載の高圧放電ランプにおいて、前記導入線の直径は、前記第２部分の直径の少なくとも１０％である、ことを特徴とする高圧放電ランプ。
【請求項５】
請求項１記載の高圧放電ランプにおいて、Ｄ１とＤ２の間は、段によって急峻に移行している、ことを特徴とする高圧放電ランプ。
【請求項６】
請求項１記載の高圧放電ランプにおいて、前記直径Ｄ２は、前記直径Ｄ１の最大１６０％である、ことを特徴とする高圧放電ランプ。
【請求項７】
請求項１記載の高圧放電ランプにおいて、前記第１部分の先端部の近くに、付加的な厚みが取り付けられている、ことを特徴とする高圧放電ランプ。
【請求項８】
請求項１記載の高圧放電ランプにおいて、前記充填物はメタルハライドを含む、ことを特徴とする高圧放電ランプ。
【請求項９】
高圧放電ランプにおいて、電極材料が元素Ｋ、Ａｌ、Ｓｉ、Ｙの少なくとも１つによってドーピングされている、ことを特徴とする高圧放電ランプ。
【考案の詳細な説明】
【技術分野】
【０００１】
本考案は、請求項１の上位概念によれば、セラミック放電容器を備える高圧放電ランプに関する。ここでは、とりわけ一般的な照明に対して使用されるような高圧放電ランプを対象とすることができる。
【０００２】
EP-B 639 853から、メタルハライドランプが公知である。このメタルハライドランプの場合、セラミック放電容器は、導入線を収容するための毛管を有しており、このセラミック放電容器内の死空間は、タングステンからなる電極が、毛管内にまで達する非常に長いシャフトを有することによって減少する。ここでは、この比較的細いシャフトは、この毛管の内径に適合したスリーブで被覆されている。
【０００３】
本考案の課題は、請求項１の上位概念による高圧放電ランプを提供し、電極損傷の危険を最小限にすることである。さらに、電極の寿命を長くすることが望まれる。
【０００４】
この課題は、請求項１記載の下位概念によって解決される。特に有利な構成は、従属請求項で明らかとなる。
【０００５】
本考案は、ＨＩＤ交流ランプのための電極構造を説明する。この電極構造はＷ電極ならびに導入線からなる。このＷ電極は回転対称体からなり、直径の異なる２つの部分に分かれている。この導入線は電極に隣接配置されており、毛管内に配置されている。本考案は、毛管内の死空間を非常に確実に、高精度で低減させる。
【０００６】
有利には、電極と導入線との間は溶接接合されている。この溶接接合は、電極が毛管内に深く入り込む長さによって問題ない温度となる。これによって、温度干渉による電極の損傷ないし屈曲の危険が減少する。
【０００７】
個別的に、本考案にしたがって、セラミック放電容器を備える高圧放電ランプを説明する。このセラミック放電容器には、２つの電極と発光充填物が封入されている。放電容器の両端部には毛管が配置されている。毛管には導入線が密封されており、この導入線はそれぞれタングステンからなる電極と接合されている。この電極はピン型で、直径の異なる２つの部分から一体的に構成されている。所定の直径Ｄ１を備えた第１部分は電極先端部を形成し、直径Ｄ２を備えた第２部分は毛管内に配置されている。第２部分の直径Ｄ２は、第１部分の直径Ｄ１の少なくとも１０８％である。電極の全長Ｌは、部分長さＬ１を備える第１部分と、部分長さＬ２を備える第２部分とに区分けされており、Ｌ２は全長Ｌの約３０％から７０％である。最大直径Ｄ２の開始部は、毛管の開始部と一致するか、または毛管の開始部から最大で長さＬの１０％だけずれている。
【０００８】
有利には、第２部分の直径Ｄ２は毛管の内径ＩＤの少なくとも９５％であり、したがって死空間が減少する。
【０００９】
とりわけ第２部分は、導入線と溶接によって接合されている。さらに導入線の直径は、第２部分の直径の少なくとも１０％であることが推奨される。
【００１０】
ここでＤ１とＤ２の間は、段によって急峻に移行することができる。しかし緩やかな移行部が生じるように、傾斜をつけることもできる。
【００１１】
電極は１つの部材から製造されるから、直径Ｄ２は最大でもＤ１の１５０％であるべきである。そうでなければ廃棄物が多く生じすぎるからである。
【００１２】
最適な温度管理は、第１部分の先端部の近くに、付加的な厚みを取り付けることにより実現することができる。この厚みは、一体的なヘッドとすることができるか、または第１部分に被せ嵌められたコイルとすることができる。有利には、一体的なヘッドである。なぜならこの一体的なヘッドは作業過程で簡単に製造することができるので、廃棄物が減少するからである。有利には、このヘッドの最適な直径は第２部分の直径と同じである。熱容量はヘッドの長さによって調節することができる。択一的に、ヘッドの直径Ｄ３はＤ１とＤ２の間とすることができる。
【００１３】
有利には、この電極と電極構造は、充填物としてメタルハライドを含む高圧放電ランプのために使用される。
【００１４】
有利には、電極の第１部分と第２部分の直径の比率は、非常に精確に調整することができる、とりわけ第２部分が毛管の直径にぴったり適合するように調節することができる。とりわけこの値は１．３から１．６であるべきである。典型的な値は係数１．４である。
【００１５】
第１部分には電極ヘッドが配置されることが多く、この電極ヘッドは、とりわけコイル、スリーブ、中空でない厚みによって、既に説明したように実現することができる。
【００１６】
プラズマの方を向いた電極の第１部分の直径に対しては、溶接部の方に向いた後置の第２部分に対してとは別の要求がなされる。電極は、有利にはタングステンまたは類似の高融点の金属、とりわけタングステンを多く含む化合物から製造される。
【００１７】
プラズマの方を向いたＷ電極の前方の第１部分は、電極先端部の温度が、タングステンが不要な高温で蒸発するほど高くならない程度に、熱を排出するべきである。他方、カソードフェーズ（交流モード）でスパッタが生じるほどには、熱を排出しすぎるべきではない。これらの要求によって、Ｗ電極の前方先端部の直径の最適性が規定される。
【００１８】
後方部分、すなわち溶接部の方を向いた電極のシャフト部分には、別の基準が当てはまる。この最適な直径は、ガラスはんだ溶接部の方向での、シャフト部分と毛管導入線との接合の具合によって主に規定されている。この毛管導入線の構成要素は、サーメット、モリブデン、Ｎｂ（Ｚｒ）および／または別の可能な構成要素からなる。これらの要求によって、第２部分の直径の最適性が規定される。この第２部分の直径は、極限値を含め、毛管導入線と電極シャフト部分との比率が、有利には０．５以上１．０以下の間であるという条件によって規定される。
【００１９】
本考案による放電ランプ用の電極は、耐熱性金属から製造される。適しているのは、とりわけタングステン、モリブデン、タンタル、レニウム、またはこれらの合金であるが、これらの金属の炭化物、とりわけタンタル炭化物（ＴａＣ）も適している。
【００２０】
電極は、相応の寸法を備える未加工材料から、回転、研磨、穿孔、エッチング、などによって製造される。ＤＥ４２  ０６  ００２に記載されるようなレーザー方法は特に有利である。場合によって圧延やハンマーなどの適切な製造行程により、付加的な成形加工がもたらされ、電極材料の構造安定性が高められる。電極材料として、例えばＷ、Ｔａ、Ｍｏ、Ｒｅないしはこれらの合金などの耐熱性金属が使用される。この合金は、材料の構造安定性を高めるために、部分的に付加的にドーピングされている。有利には構造安定化のために以下のドーピングが行われる、すなわち例えばＫ、Ａｌ、Ｓｉなどの元素、および付加的に酸化物、カーバイド、ホウ化物、窒化物、および／または、希土類元素の純金属（ないし純金属の合金）、すなわち例えばＬａ、Ｃｅ、Ｐｒ、Ｎｄ、Ｅｕ、Ｔｈなどのランタノイド、アクチノイドや、しかし同様にＳｃ、Ｔｉ、Ｙ、Ｚｒ、Ｈｆも、ドーピングされる。これらは、構造安定性のためだけではなく、電子の流出活動を減少させるためにも使用される。
【００２１】
特に有利な第１実施形態では、一体的な電極がとりわけタングステンから製造される。この複雑な輪郭は、円筒状の後部シャフト部分を第２部分として、ならびにヘッドを有する前部を第１部分として有することができる。
【００２２】
高密度なボディは、理論的密度の典型的には９８％（それどころか９９％以上まで）で製造することができる。
【００２３】
これによりとりわけ電極の熱移動の最適化が達成される。ここで加工は、切削工具によって純粋に機械的に行われる。従来は、この種の電極のために約６０％までの廃棄物を我慢せざるを得なかった。しかしここで有利には、DE-A 42 06 002の基準に基づくレーザー昇華方法を用いることができる。
【００２４】
有利には、Ｗ電極のシャフト長さを完全に可変に設計することができる。従来知られている問題は、従来使用されていた２つの部分の間の接合個所は、通常は溶接部であり、放電に近すぎる場合はランプ動作中、熱により負担がかかるということである。この問題は、Ｗ電極と導入線との接合部が、放電容積方向の毛管端部に近すぎる場合に当てはまる。この問題に関して従来有利には、接合個所の温度が１５００Ｋ、特に有利には１３００Ｋを超えないように留意すべきである。そしてこの結果、Ｗ電極は、通常は溶接部である接合個所で屈曲してしまう。Ｗ電極が毛管の内壁に接触すると、毛管内で亀裂が生じ、この亀裂により放電容器から充填物が漏れて出る。このことによりランプの寿命は短くなり、ランプは消えてしまう。
【００２５】
Ｗ電極の２つの部分に対する異なる要求は、電極が一体的であり、かつ前方の電極の第１部分のタングステン材料が切除されることによって、最も良好に実現される。このことは、レーザー切除のような、機械的、科学的、または熱機械的な方法によって最も良好に行われる。
【００２６】
本考案は、この種の電極、とりわけメタルハライド充填物を備える高圧放電ランプに関する。このようなものは、類型から見てEP-A 1 056 115から既に公知である。
【００２７】
電極を、２つの部分の直径を拡大することなく毛管の中に延長すると、既知の負の結果として、非常に大きな死空間が生じる。通常、この死空間によって、色温度の散乱がより大きくなる。この色温度の散乱は、充填量を増加させることによってのみ補償することができる。他方、この充填量を増加することは再点弧ピーク電圧の増大を結果としてもたらす。これにより、ランプが早期に消える危険が増加する。
【００２８】
したがって２つの部分の直径は、毛管の内径にぴったり適合するべきであり、そのようにして死空間を埋めるべきである。電極の端部は、毛管の中へ可能な限り後方に、電極の全長の７０％まで配置することができる。
【００２９】
以下本考案を、複数の実施例に基づいて詳細に説明する。
図１は、セラミックス放電容器を備えるメタルハライドランプを示す図である。
図２は、本考案による電極の詳細図である。
図３および４は、それぞれ別の実施例による電極の詳細図である。
図５は、電極構造を備える図１のランプの端部領域の詳細図である。
図６は、電極構造の別の実施例を示す図である。
【００３０】
図１は、電圧１５０Ｗを備えるメタルハライドランプを概略的に示す。このメタルハライドランプは、ランプ軸を規定する円筒状の、水晶ガラス製の外管１からなる。この外管は両側で封止され（２）ており、かつ口金がつけられ（３）ている。もちろんこのランプを片側だけ封止することもでき、例えば並形口金を設けることもできる。軸方向に配向されたＡｌ２Ｏ３セラミックからなる放電容器４は、円筒状または胴の膨らんだ形状に構成されており、２つの端部６を有する。放電容器は２つの電流供給線７によって固定されており、この電流供給線は口金部分３と、フィルム８を介して接続されている。この電流供給線７は導入線９と溶接されており、この導入線は放電容器の端部６の端部栓にそれぞれはめ込まれている。この端部栓は、長く引き延ばされた毛管（栓毛管）として構成されている。放電容器の端部６および栓毛管１２は、例えば互いに直接焼結されている。導入線には、放電側に電極１５が位置している。
【００３１】
導入線９はそれぞれ複数の部分からなるピンから構成されており、毛管１２の長さの約４分の３まで、この毛管の中に入り込んでいる。この毛管１２の内部で、放電容積に向かって、２つの部分からなる電極シャフト１６が延在している。この電極シャフトはタングステンからなり、放電側端部に被せ嵌められたコイル１７を備えている。
【００３２】
放電容器の充填物は、例えばアルゴンなどといった不活性点火ガスの他に、水銀や金属ハロゲン化物の添加物からなる。例えば水銀なしでメタルハライド充填物を使用することも可能であり、この場合、点火ガスとして例えばキセノンを選択することができ、とりわけ１，３ｂａｒを格段に超える高圧を選択することができる。
【００３３】
ピン９は、栓毛管１２にはめ込まれており、ガラスはんだ１９によって密閉されている。
【００３４】
図２は電極１５を詳細に示す。重要なのは、この電極が一体的な構成要素であることである。前部２５の直径はＤ１、後部２６の直径はＤ２である。電極の全長はＬである。第１部分２５の長さはＬ１、第２部分２６の長さはＬ２である。両部分の間の移行部は、段２７である。
【００３５】
図３は電極１５を示しており、ここでは第１部分２５はヘッド２８を有しており、このヘッドも同様に一体的に製造されている。ヘッドの直径はＤ３であり、長さはＬ３である。ここで、Ｄ１＜Ｄ３≦Ｄ２である。
【００３６】
図４は電極３０示しており、ここではこのヘッドは別個のコイル３１である。さらに、第１部分２５と第２部分２６の間に、移行部として斜面３３が使用されている。
【００３７】
図５は栓３６内の電極構造３５を詳細に示す。導入線９として、ピン、例えば図６に示すように、２つの部分からなるピンが使用される。このピンの放電側に近い第１部分３８は、ＭｏおよびＡｌ２Ｏ３からなるサーメットであり、第２部分３９は、Ｎｉｏｂから、またはＮｂＺｒまたはＭｏＶからもなる。この導入線は、例えば部分的にコイルによって被覆されている。電極の第２部分２６は、このピンとほぼ同じ直径であり、このピンと焼結されている。この電極の第２部分に第１部分２５が放電側で接続しており、第１部分の直径は格段により小さく、この両部分は１つの部材として製造されている。第１部分はピン型とすることができるか、またはヘッドとして、中空でない部材またはコイルを有する。ここで第２部分の直径は、有利には第１部分の直径より最小でも１０％、最大では６０％大きい。最小値は、とりわけ電極がピン型のときに当てはまる。２つの部分間の段２７は、毛管の端部とほぼ一致すべきである。ずれＡは、長さＬの１０％より小さい値であるべきである。Ａの典型的な値は１ｍｍである。
【００３８】
図６は毛管内の電極構造の別の実施例を示す。有利には、第２部分２６の直径Ｄ２は、第１部分２５の直径Ｄ１の１２０％から１４０％の大きさである。この第２部分の直径Ｄ２は、有利には可能な限り毛管の内径ＩＤに近似するべきである。第２部分の直径は、最小でも毛管の内径の９５％、有利には最小でも９８％であるべきである。
【００３９】
軸方向での相対的な配置も重要である。ここで有利には、毛管の開始部を基準にして、電極の第２部分は近似的に同一平面上にあるか、または若干深くなっているか、または前に突き出ている。したがって例えば１ｍｍまでの深さＡで、毛管に挿入されている。
【００４０】
さらに有利には、導入線との接合個所４０は、可能な限り深く毛管に配置されている。この接合個所は、例えば３から６ｍｍの深さＴを有するべきであり、この値はランプのワット数にも依存している。
【００４１】
導入線は、とりわけ２つの部分、つまり内側部分はサーメットから、外側部分はニオブピンから組み立てられている。導入線の２つの部分は、有利には、電極の第２部分と同じ直径を有し、ずれは最大でも１０％であるべきである。このようにして、死空間が一貫して減少する。
【００４２】
電極の第２部分と導入線との間の接合技術としては、溶接や、ナットなどの機械的なはめ込みが対象となる。しかし有利には溶接である。なぜなら溶接は、確実な保持を維持するからである。
【図面の簡単な説明】
【００４３】
【図１】図１は、セラミックス放電容器を備えるメタルハライドランプを示す図である。
【図２】図２は、本考案による電極の詳細図である。
【図３】図３は、別の実施例による電極の詳細図である。
【図４】図４は、別の実施例による電極の詳細図である。
【図５】図５は、電極構造を備える図１のランプの端部領域の詳細図である。
【図６】図６は、電極構造の別の実施例を示す図である。
【図１】
0003153262.tif 000003
【図２】
0003153262.tif 000004
【図３】
0003153262.tif 000005
【図４】
0003153262.tif 000006
【図５】
0003153262.tif 000007
【図６】
0003153262.tif 000008
【手続補正書】
【提出日】平成21年6月23日(2009.6.23)
【手続補正１】
【補正対象書類名】実用新案登録請求の範囲
【補正対象項目名】請求項９
【補正方法】変更
【補正の内容】
【請求項９】
請求項１記載の高圧放電ランプにおいて、前記電極の材料は、元素Ｋ、Ａｌ、Ｓｉ、Ｙの少なくとも１つによってドーピングされている、ことを特徴とする高圧放電ランプ。